(57)【要約】【課題】簡単なシステム構成により、複数の画像投射装置の各種設定をあたかも１つの画像投射装置の設定を行うように簡単に行える画像投射システムを提供する。【解決手段】画像投射システムは、第１の画像投射装置Ｐ１と、第２の画像投射装置Ｐ２と、使用者により操作される操作手段１９とを含む。第１及び第２の画像投射装置は、互いに異なる領域に画像Ａ１〜Ａ４を投射してこれら画像の組み合わせにより単一画像として構成される第１の画像Ａを表示する。第１の画像投射装置は、操作手段の操作に応じて、第１及び第２の画像投射装置の少なくとも一方から第１及び第２の画像投射装置に共通の設定メニュー画像としての第２の画像Ｍを投射させる制御手段１８を有する。該制御手段は、第２の画像が表示された状態での操作手段の設定操作に応じて、第１及び第２の画像投射装置をともに該設定操作に対応した状態に移行させる。【選択図】  図５
2008216805.tif 000002
【特許請求の範囲】
【請求項１】
第１の画像投射装置と、
該第１の画像投射装置との通信が可能な第２の画像投射装置と、
使用者により操作される操作手段とを含み、
前記第１及び第２の画像投射装置は、互いに異なる領域に画像を投射してこれら画像の組み合わせにより構成される第１の画像を表示し、
前記第１の画像投射装置は、前記操作手段の操作に応じて、前記第１及び第２の画像投射装置の少なくとも一方から前記第１及び第２の画像投射装置に共通の設定メニュー画像としての第２の画像を投射させる制御手段を有し、
前記制御手段は、前記第２の画像が表示された状態での前記操作手段の設定操作に応じて、前記第１及び第２の画像投射装置をともに前記設定操作に対応した状態に移行させることを特徴とする画像投射システム。
【請求項２】
前記制御手段は、前記第２の画像を、前記第１及び第２の画像投射装置のうち一方の投射領域内の位置と前記第１及び第２の画像投射装置の投射領域にまたがる位置とを含む前記操作手段の位置選択操作に応じた位置に移動させることを特徴とする請求項１に記載の画像投射システム。
【請求項３】
第１の画像投射装置と、該第１の画像投射装置との通信が可能な第２の画像投射装置と、使用者により操作される操作手段とを含み、前記第１及び第２の画像投射装置は、互いに異なる領域に画像を投射してこれら画像の組み合わせにより構成される第１の画像を表示する画像投射システムを構成する前記第１の画像投射装置であって、
該第１の画像投射装置に設けられた制御手段は、
前記操作手段の操作に応じて、該第１の画像投射装置及び前記第２の画像投射装置の少なくとも一方から、前記第１及び第２の画像投射装置に共通の設定メニュー画像としての第２の画像を投射させ、
前記第２の画像が表示された状態での前記操作手段の設定操作に応じて、前記第１及び第２の画像投射装置を該設定操作に対応した状態に移行させることを特徴とする画像投射装置。
【請求項４】
第１の画像投射装置と、該第１の画像投射装置との通信が可能な第２の画像投射装置と、使用者により操作される操作手段とを含み、前記第１及び第２の画像投射装置は、互いに異なる領域に画像を投射してこれら画像の組み合わせにより構成される第１の画像を表示する画像投射システムを構成する前記第２の画像投射装置であって、
該第２の画像投射装置に設けられた制御手段は、
前記操作手段の操作に応じて前記第１の画像投射装置から出力された信号を受けて、前記第１及び第２の画像投射装置に共通の設定メニュー画像としての第２の画像における少なくとも一部を該第２の画像投射装置に投射させ、
前記第２の画像が表示された状態での前記操作手段の設定操作に応じて前記第１の画像投射装置から出力された信号を受けて、該第２の画像投射装置を前記設定操作に対応した状態に移行させることを特徴とする画像投射装置。
【発明の詳細な説明】
【技術分野】
【０００１】
本発明は、複数の画像投射装置により単一画像を投射する、マルチプロジェクションシステム等と称される画像投射システムに関する。
【背景技術】
【０００２】
複数の液晶プロジェクタ等の画像投射装置から互いに異なる投射領域に画像を投射し、これら投射画像を組み合わせる（つなぎ合わせる）ことで単一画像を表示するマルチプロジェクションシステムが提案されている。このシステムでは、単一画像に対応する画像信号を複数に分割して各プロジェクタに供給し、各プロジェクタに上記単一画像を構成する画像を表示させる。
【０００３】
このマルチプロジェクションシステムによれば、各プロジェクタの解像度がそれほど高くなくても、大画面で高精細な画像を表示することが可能となる。
【０００４】
ところで、プロジェクタには、いわゆるＯＳＤ（オンスクリーンディスプレイ）機能が設けられている場合が多い。このＯＳＤ機能によってメニュー画像をスクリーンに表示することで、プロジェクタの明るさ、色、投射サイズ等の各種設定のための操作が行い易くなる。
【０００５】
ただし、マルチプロジェクションシステムにおいてＯＳＤ機能によるメニュー画像を通じた設定を行う場合には、１つ１つのプロジェクタにおいてメニュー画像の表示と設定操作とが必要となる。このため、見かけ上は１つのプロジェクタとして構成しているにもかかわらず、複数のプロジェクタを用いて構成されていることが明確に鑑賞者に分かってしまったり、すべてのプロジェクタの設定操作に手間がかかったりするという問題がある。
【０００６】
このため、特許文献１には、マルチプロジェクションシステムにおいて、投射された画像を撮像手段で撮像し、該撮像手段からの情報に基づいて複数のプロジェクタにより投射される複数の画像の位置、色及び明るさを自動的に調整する技術が開示されている。
【特許文献１】特開２００１−２５１６５１号公報（段落００４６〜００４８、図４等）
【発明の開示】
【発明が解決しようとする課題】
【０００７】
しかしながら、特許文献１に開示されたマルチプロジェクションシステムでは、複数のプロジェクタ以外に、撮像手段や各プロジェクタの投射状態を調整する調整手段が必要であるため、システムとして複雑となる。また、撮像手段からの情報に基づく調整が必ずしも操作者や鑑賞者の要求に合うとは限らない。
【０００８】
そこで、本発明は、簡単なシステム構成により、複数の画像投射装置の各種設定をあたかも１つの画像投射装置の設定を行うように簡単に行える画像投射システムを提供することを目的の１つとしている。
【課題を解決するための手段】
【０００９】
本発明の一側面としての画像投射システムは、第１の画像投射装置と、該第１の画像投射装置との通信が可能な第２の画像投射装置と、使用者により操作される操作手段とを含み、第１及び第２の画像投射装置は、互いに異なる領域に画像を投射してこれら画像の組み合わせにより単一画像として構成される第１の画像を表示する。第１の画像投射装置は、操作手段の操作に応じて、第１及び第２の画像投射装置の少なくとも一方から第１及び第２の画像投射装置に共通の設定メニュー画像としての第２の画像を投射させる制御手段を有する。さらに、該制御手段は、第２の画像が表示された状態での操作手段の設定操作に応じて、第１及び第２の画像投射装置をともに該設定操作に対応した状態に移行させることを特徴とする。
【００１０】
また、本発明の他の側面としての画像投射装置は、上記画像投射システムを構成する第１の画像投射装置であって、制御手段を有する。該制御手段は、操作手段の操作に応じて、該第１の画像投射装置及び第２の画像投射装置の少なくとも一方から、第１及び第２の画像投射装置に共通の設定メニュー画像としての第２の画像を投射させ、第２の画像が表示された状態での操作手段の設定操作に応じて、第１及び第２の画像投射装置を該設定操作に対応した状態に移行させることを特徴とする。
【００１１】
さらに、本発明の他の側面としての画像投射装置は、上記画像投射システムを構成する第２の画像投射装置であって、制御手段を有する。該制御手段は、操作手段の操作に応じて第１の画像投射装置から出力された信号を受けて、第１及び第２の画像投射装置に共通の設定メニュー画像としての第２の画像のうち少なくとも一部を該第２の画像投射装置に投射させ、第２の画像が表示された状態での操作手段の設定操作に応じて第１の画像投射装置から出力された信号を受けて、該第２の画像投射装置を該設定操作に対応した状態に移行させることを特徴とする。
【発明の効果】
【００１２】
本発明によれば、単一の操作手段の操作に応じて第１及び第２の画像投射装置に共通の設定メニュー画像（第２の画像）を表示させることができる。さらに、設定メニュー画像を用いた該操作手段の設定操作に応じて、第１及び第２の画像投射装置をともに該設定操作に対応した状態に移行させることができる。したがって、簡単なシステム構成により、複数の画像投射装置の各種設定を、１つの画像投射装置の設定操作を行うような感覚で行うことができる。
【発明を実施するための最良の形態】
【００１３】
以下、本発明の好ましい実施例について図面を参照しながら説明する。
【実施例１】
【００１４】
図１には、本発明の実施例１である画像投射システムの概要を示している。図１において、Ｐ１はマスタープロジェクタ（第１の画像投射装置）であり、Ｐ２〜Ｐ４はスレーブプロジェクタ（第２の画像投射装置）である。
【００１５】
マスタープロジェクタＰ１とスレーブプロジェクタＰ２〜Ｐ４とは、いわゆるデイジーチェーン方式により相互通信が可能に接続されている。具体的には、マスタープロジェクタＰ１は、スレーブプロジェクタＰ２に接続され、スレーブプロジェクタＰ２はスレーブプロジェクタＰ３に接続されている。さらに、スレーブプロジェクタＰ３はスレーブプロジェクタＰ４に接続されている。
【００１６】
このデイジーチェーン方式接続は、IEEE1394等により行われている。そして、マスタープロジェクタＰ１から送信された信号は、スレーブプロジェクタＰ２，Ｐ３，Ｐ４の順に伝達され、各スレーブプロジェクタからの信号は、直接又は他のスレーブプロジェクタを介してマスタープロジェクタＰ１に伝達される。
【００１７】
Ｓはスクリーンや壁等の被投射面（以下、スクリーンという）であり、ここに上記４つのプロジェクタＰ１〜Ｐ４から画像が投射される。ここで、マスタープロジェクタＰ１からは画像要素Ａ１が、スレーブプロジェクタＰ２〜Ｐ４からは画像要素Ａ２〜Ａ４が、それぞれスクリーンＳ上の互いに異なる投射領域に投射される。そして、４つの画像要素Ａ１〜Ａ４が互いに組み合わさる（つなぎ合わされる）ことにより、単一の画像としての第１の画像Ａが表示される。
【００１８】
ここにいう単一の画像とは、それ全体でひとまとまりの被写体（例えば、図に示すようなライオンの頭）が表現されている画像の意味であり、別々の被写体が表現されている４つの画像がつなぎ合わされていてもそれをここでは単一の画像とは言わない。
【００１９】
図２には、マスタープロジェクタＰ１の構成を示す。１０２は図示しないＶＧＡ，ＤＶＩ等の画像伝送用のインターフェースコネクタを含む画像入出力部であり、ここには、パーソナルコンピュータ、ＤＶＤプレーヤ、テレビチューナ等の画像供給装置５０から画像信号（映像信号）が供給される。ここで、画像供給装置５０には、第１の画像Ａに対応する映像信号を画像要素Ａ１〜Ａ４に対応する４つの映像信号に分割する機能を含む。画像入出力部１０２に供給された該分割映像信号のうち画像要素Ａ１に対応する分割映像信号は、ＤＶＩデコーダ１０又はＡ／Ｄコンバータ１１を介して色補正処理部１５に入力される。
【００２０】
色補正処理部１５では、解像度変換処理、ガンマ補正、スケーリング処理等の各種処理が行われる。また、マスタープロジェクタＰ１内の光学系の構造や後述する液晶パネルの構造に対応したＶ−Ｔ（電圧−透過率）補正も行われる。これらの処理が施されたＲ，Ｇ，Ｂの映像信号は、液晶駆動部１６に送られる。
【００２１】
液晶駆動回路１６は、入力されたＲ，Ｇ，Ｂの映像信号に基づいて、Ｒ，Ｇ，Ｂ用の３つの液晶パネル１７を駆動する。なお、液晶パネル１７は、透過型でも反射型でもよい。また、本実施例では、液晶パネルを用いたプロジェクタについて説明するが、ＤＭＤ（デジタルマイクロミラーデバイス）等の他の表示素子を用いてもよい。
【００２２】
一方、光源であるランプ１０１からの光が光学系（図示せず）によってＲ，Ｇ，Ｂの光に分解されてＲ，Ｇ，Ｂ用の液晶パネル１７にそれぞれ導かれる。各液晶パネルに導かれた光は、各液晶パネルで画像変調されて投射レンズ１００によりスクリーンＳに投射される。これにより、スクリーンＳ上に画像要素Ａ１が表示される。
【００２３】
画像要素Ａ２〜Ａ３に対応する分割映像信号は、画像入出力部１０２を介してスレーブプロジェクタＰ２〜Ｐ３に供給される。
【００２４】
１２はコマンド入出力部であり、ＲＳ−２３２、ＵＳＢ等の入力インターフェースが設けられている。このコマンド入出力部１２には、上記画像供給装置５０からの各種コマンドデータが入力され、該コマンドデータは、ＣＰＵ１８に送られる。また、ＣＰＵ１８からのスレーブプロジェクタＰ２〜Ｐ４に対するコマンドデータ（指令信号）は、このコマンド入出力部１２から各スレーブプロジェクタに送信される。さらに、各スレーブプロジェクタから受信したコマンドデータは、このコマンド入出力部１２を介してＣＰＵ１８に送られる。
【００２５】
１９は操作パネル（操作手段）であり、ここで発生した操作信号はＣＰＵ１８に送られる。図４には、操作パネル１９の具体例を示している。
【００２６】
図４において、３１は電源投入スイッチであり、３２は後述する設定メニュー画像をスクリーンＳ上にＯＳＤ機能により表示させるためのメニュースイッチである。
【００２７】
また、３３はシフト方向スイッチであり、画像の投射位置や設定メニュー画像上での選択項目を上下左右に移動させる移動コマンドを発生させるためのスイッチである。３４は決定スイッチであり、設定メニュー画像上で選択された項目（表示モード、画像のサイズ、明るさ、色味等の各種動作状態）を確定（設定）するために操作される。設定メニュー画像を表示しながらシフト方向スイッチ３３及び決定スイッチ３４を操作して動作状態を設定することを設定操作ともいう。
【００２８】
３５はメニューシフトスイッチであり、これを押した状態でシフト方向スイッチ３３を操作することで、設定メニュー画像を上下左右に移動させることができる。この設定メニュー画像を移動させるための操作を位置選択操作ともいう。
【００２９】
なお、本実施例では、マスタープロジェクタＰ１上に設けられた操作パネル１９を通じて設定操作や位置選択操作を行う場合について説明する。しかし、操作パネル１９と同様のスイッチを備えた操作手段としてのリモートコントロール装置を通じて設定操作や位置選択操作を行うようにしてもよい。
【００３０】
制御手段としてのＣＰＵ１８は、バス１０３を介して、ＤＶＩデコーダ１０、Ａ／Ｄコンバータ１１、色補正処理部１５、液晶駆動部１６及びＧＵＩ部１４を制御する。また、ＣＰＵ１８は、ランプ１０１の電源制御回路であるランプバラスト１３を制御する。
【００３１】
また、ＣＰＵ１８は、操作パネル１９からの信号の入力状態を監視し、何らかの信号入力又は信号の変化を検出したときは、それを解析し、解析結果に応じた動作を行う。例えば、操作パネル１９のスイッチ３１〜３４のいずれかが操作されて操作信号が入力された場合は、その操作信号（コマンド）を出力したスイッチに対応した動作を行う。
【００３２】
ＧＵＩ部１４は、ＣＰＵ１８からの命令に応じて、設定メニュー画像（第２の画像）のデータ（ＯＳＤデータ）を色補正処理部１５に出力する。これにより、図５に示すように、設定メニュー画像Ｍが、上述した第１の画像Ａに重畳されて表示される。
【００３３】
なお、本実施例では、ＧＵＩ部１４からＯＳＤデータの全部を色補正処理部１５に出力することにより、図４に点線で示すようにマスタープロジェクタＰ１の投射領域内において画像要素Ａ１に重畳して設定メニュー画像Ｍを表示させることができる。また、ＧＵＩ部１４からＯＳＤデータの一部を色補正処理部１５に出力することにより、図４に実線で示すように、マスタープロジェクタＰ１と少なくとも１つのスレーブプロジェクタの投射領域にまたがるように設定メニュー画像Ｍを表示させることもできる。
【００３４】
使用者は、この設定メニュー画像Ｍを見ながら、操作パネル１９において設定操作を行うことができる。ＣＰＵ１８は、マスタープロジェクタＰ１の動作状態を、設定操作により選択及び確定された項目に従って移行させる。また、その動作状態（又は項目）を示すコマンドデータ（以下、設定コマンドデータという）を各スレーブプロジェクタに送信して、各スレーブプロジェクタをマスタープロジェクタと同じ動作状態に設定させる。つまり、設定メニュー画像Ｍは、マスター及びスレーブプロジェクタＰ１〜Ｐ２に対して共通のものである。
【００３５】
次に、図３を用いて、スレーブプロジェクタＰ２〜Ｐ４の構成を説明する。各スレーブプロジェクタの構成は、基本的にマスタープロジェクタＰ１と同じであり、図１のマスタープロジェクタＰ１と同じ構成要素には、図１と同符号を付している。
【００３６】
スレーブプロジェクタＰ２においては、画像入出力部１０２及びＤＶＩデコーダ１０又はＡ／Ｄコンバータ１１を介して、画像要素Ａ２に対応した分割映像信号が入力される。また、この画像入出力部１０２を介して、他のスレーブプロジェクタＰ３，Ｐ４に分割映像信号が供給される。
【００３７】
また、スレーブプロジェクタＰ３においては、画像入出力部１０２及びＤＶＩデコーダ１０又はＡ／Ｄコンバータ１１を介して、画像要素Ａ３に対応した分割映像信号が入力される。また、この画像入出力部１０２を介して、スレーブプロジェクタＰ４に分割映像信号が供給される。
【００３８】
さらに、スレーブプロジェクタＰ４においては、画像入出力部１０２及びＤＶＩデコーダ１０又はＡ／Ｄコンバータ１１を介して、画像要素Ａ４に対応した分割映像信号が入力される。
【００３９】
また、各スレーブプロジェクタのコマンド入出力部１２では、マスタープロジェクタＰ１からのコマンドデータを受信し、該コマンド入出力部１２からは該スレーブプロジェクタのＣＰＵ１８からのコマンドデータがマスタープロジェクタＰ１に送信される。スレーブプロジェクタＰ３，Ｐ４のコマンド入出力部１２では、スレーブプロジェクタＰ２のコマンド入出力部１２を介してマスタープロジェクタＰ１とのコマンドデータの送受信が行われる。
【００４０】
各スレーブプロジェクタには、マスタープロジェクタＰ１から設定コマンドデータが送信されてくる。各スレーブプロジェクタのＣＰＵ１８は、該設定コマンドデータに応じて、マスタープロジェクタＰ１と同じ動作状態に各スレーブプロジェクタを設定する。
【００４１】
また、各スレーブプロジェクタのＣＰＵ１８は、マスタープロジェクタＰ１からのＯＳＤコマンドデータに基づいて、ＧＵＩ部１４から設定メニュー画像の全部又は一部を色補正処理部１５に出力させる。これにより、設定メニュー画像Ｍをいずれか１つのスレーブプロジェクタの投射領域内に表示させたり、図４に実線で示すように複数のプロジェクタの投射領域にまたがるように表示させたりすることができる。
【００４２】
次に、図６を用いて、マスタープロジェクタＰ１のＣＰＵ１８の動作について説明する。
【００４３】
ステップ（図には、Ｓと記す）０で画像要素Ａ１の投射を開始すると、ステップ１で、メニュースイッチ３２が押された（操作された）か否かを判別する。メニュースイッチ３２が押されていない場合はステップ１を繰り返し、押された場合はステップ２に進む。
【００４４】
ステップ２では、前述したように、マスタープロジェクタＰ１の投射領域内に画像要素Ａ１に重畳させて設定メニュー画像Ｍの全体又は一部を表示させる。一部を表示させる場合とは、前述したように、設定メニュー画像Ｍがマスター及びスレーブプロジェクタの投射領域にまたがる場合である。この場合、設定メニュー画像Ｍの他の部分を投射するスレーブプロジェクタに対して、これを指示するメニュー表示コマンドデータを送信する。また、設定メニュー画像ＭをマスタープロジェクタＰ１の投射領域内に表示せず、スレーブプロジェクタの投射領域に表示させる場合は、該当するスレーブプロジェクタにこれを指示するメニュー表示コマンドデータを送信する。
【００４５】
なお、このとき、メニューシフトスイッチ３５及びシフト方向スイッチ３３が押されたか否かを検出し、押された場合はそのシフト方向スイッチ３３に対応する方向に設定メニュー画像Ｍを移動させる。具体的には、シフト方向スイッチ３３の操作に応じて、液晶パネル１７上での設定メニュー画像の表示位置を変化させる。この移動は、シフト方向スイッチ３３の１回の操作ごとに特定量ずつ行われる。また、この移動により、新たに設定メニュー画像Ｍの一部又は全部を表示することとなったスレーブプロジェクタには、これを指示するメニュー表示コマンドデータを送信する。
【００４６】
次に、ステップ３では、シフト方向スイッチ３３及び決定スイッチ３４の操作に応じてメニュー項目を選択したり、選択された項目を確定したりする。ＣＰＵ１８は確定した項目に従ってマスタープロジェクタＰ１の動作状態を設定する。
【００４７】
さらに、ステップ４では、ステップ３で確定した項目に従って、各スレーブプロジェクタも同じ動作状態とするように、設定コマンドデータを各スレーブプロジェクタに送信する。
【００４８】
そして、ステップ５では、再度メニュースイッチ３２が押されたか否かを判別し、押されていない場合はステップ３に戻る。一方、メニュースイッチ３２が再度押された場合は、ステップ６に進み、設定メニュー画像の表示を終了する。
【００４９】
次に、図７を用いて各スレーブプロジェクタのＣＰＵ１８の動作を説明する。
【００５０】
まず、ステップ１０で、各画像要素の投射を開始すると、ステップ１１で、マスタープロジェクタＰ１から送信されてきたコマンドデータ（設定コマンドデータ又はメニュー表示コマンドデータ）を受信する。
【００５１】
ステップ１２では、スレーブプロジェクタを、設定コマンドデータに基づいて、マスタープロジェクタＰ１と同じ動作状態に設定する。また、メニュー表示コマンドデータを受信した場合は、それに従って設定メニュー画像の一部又は全部を表示する。そして、本フローを終了する。
【実施例２】
【００５２】
図８には、本発明の実施例２である画像投射システムを構成するマスタープロジェクタＰ１の構成を示している。本実施例でも、マスタープロジェクタＰ１と後述するスレーブプロジェクタＰ２〜Ｐ４とは、いわゆるデイジーチェーン方式により相互通信が可能に接続されている。
【００５３】
２０２は図示しないＶＧＡ，ＤＶＩ等の画像伝送用のインターフェースコネクタを含む画像入出力部であり、ここには、実施例１で説明した画像供給装置５０からの画像信号（映像信号）が供給される。画像入出力部１０２に供給された映像信号のうち、図１に示した画像要素Ａ１に対応する分割映像信号は、ＤＶＩデコーダ２０又はＡ／Ｄコンバータ２１を介して色補正処理部２５に入力される。
【００５４】
色補正処理部２５、液晶駆動回路２６、液晶パネル２７、ランプ２０１、コマンド入出力部２２及びＧＵＩ部２４の機能や動作は、実施例１で説明した色補正処理部１５、液晶駆動回路１６、３つの液晶パネル１７、コマンド入出力部１２及びＧＵＩ部１４と同じである。２０１は各液晶パネル１７を照明するランプであり、２００は各液晶パネルで画像変調された光をスクリーンに投射する投射レンズである。
【００５５】
画像要素Ａ２〜Ａ３に対応する分割映像信号は、画像入出力部２０２を介してスレーブプロジェクタＰ２〜Ｐ３に供給される。
【００５６】
２９は操作パネル（操作手段）であり、実施例１で図４を用いて説明したものと同じである。本実施例でも、操作パネル２９に代えて、リモートコントロール装置を用いてもよい。
【００５７】
ＣＰＵ２８は、実施例１のＣＰＵ１８と同様に、バス２０３を介して、ＤＶＩデコーダ２０、Ａ／Ｄコンバータ２１、色補正処理部２５、液晶駆動部２６、ＧＵＩ部２４及びランプバラスト２３を制御する。また、ＣＰＵ２８は、操作パネル２９からの信号の入力状態を監視し、操作信号の入力や変化を検出したときは、それに応じた動作を行う。
【００５８】
本実施例では、メモリ（記憶手段）としてのＥＥＰＲＯＭ２０３を有する。ＥＥＰＲＯＭ２０３は、設定メニュー画像Ｍ（図５参照）の初期表示位置やシフト方向スイッチ３３（図４参照）の操作に応じて移動した表示位置を記憶する。また、ＥＥＰＲＯＭ２０３は、電源オフ時の設定メニュー画像Ｍの表示位置を上記初期表示位置として更新記憶する。
【００５９】
メニュースイッチ３２（図４参照）が押されたとき、ＣＰＵ２８は、ＥＥＰＲＯＭ２０３に記憶されている位置情報に基づいて表示すべき設定メニュー画像Ｍの部分（全体又は一部）を算出する。そして、その算出した部分に対応した設定メニュー画像ＭのデータをＧＵＩ部２４に出力させる。
【００６０】
次に、図９を用いて、スレーブプロジェクタＰ２〜Ｐ４の構成を説明する。各スレーブプロジェクタの構成は、基本的にマスタープロジェクタＰ１と同じであり、図８のマスタープロジェクタＰ１と同じ構成要素には、図８と同符号を付している。また、各スレーブプロジェクタの各部の機能や動作は、実施例１で説明したスレーブプロジェクタと基本的に同じである。なお、図９には、ＥＥＰＲＯＭ２０３が記載されているが、スレーブプロジェクタＰ２〜Ｐ４にはなくてもよい。
【００６１】
次に、図１０を用いて、マスタープロジェクタＰ１のＣＰＵ２８の動作について説明する。
【００６２】
ステップ２０で画像要素Ａ１の投射を開始すると、メニュースイッチ３２（図４参照）が押されたか否かを判別する。メニュースイッチ３２が押されていない場合は該判別を繰り返し、押された場合はステップ２１に進む。
【００６３】
ステップ２１では、シフト方向スイッチ３３の操作に応じて第１の画像Ａの表示位置（座標）（ここでは、画像要素Ａ１の表示位置）を設定する。そして、ステップ２２では、第１の画像Ａを構成する他の画像要素Ａ２〜Ａ３を表示すべき位置（座標）を算出する。これら算出された座標データは、スレーブプロジェクタＰ２〜Ｐ３に送信される。
【００６４】
次に、ステップ２３では、ＥＥＰＲＯＭ２０３に記憶されている設定メニュー画像Ｍの表示開始位置をリセットする。
【００６５】
次に、ステップ２４では、リセットされた表示開始位置（例えば、画像要素Ａ１内の位置）に設定メニュー画像Ｍを表示させる。
【００６６】
続いて、ステップ２５では、メニューシフトスイッチ３５が操作され、かつシフト方向スイッチ３３が操作されたか否か（つまりは、設定メニュー画像Ｍの位置選択操作が行われたか否か）を判別する。位置選択操作が行われない場合はステップ２９にジャンプする。位置選択操作が行われた場合は、ステップ２６に進む。
【００６７】
ステップ２６では、位置選択操作に応じたマスタープロジェクタＰ１による設定メニュー画像Ｍの表示位置データを変更する。また、変更後の設定メニュー画像Ｍの表示位置を、ＥＥＰＲＯＭ２０３に記憶させる。
【００６８】
次のステップ２７は、ステップ２６での表示位置の移動により設定メニュー画像Ｍの一部又は全部がスレーブプロジェクタの投射領域に入った場合に実行される。このステップでは、スレーブプロジェクタに表示させる設定メニュー画像Ｍの一部又は全部の表示座標を指示するメニュー表示コマンドデータを該当するスレーブプロジェクタに送信する。
【００６９】
そして、ステップ２８では、変更された表示位置に設定メニュー画像Ｍを移動させる。
【００７０】
さらに、ステップ２９では、再度メニュースイッチ３２が押されたか否かを判別し、押されていない場合はステップ２５に戻る。一方、メニュースイッチ３２が再度押された場合は、ステップ３０に進み、設定メニュー画像の表示を終了する。
【００７１】
本実施例における各スレーブプロジェクタのＣＰＵ２８の動作は、実施例１で図７を用いて説明したものと同様である。
【００７２】
以上説明したように、上記各実施例によれば、１つの操作パネル上での操作に応じてマスター及びスレーブプロジェクタに共通の設定メニュー画像を表示させることができる。さらに、設定メニュー画像を用いた該操作パネルの設定操作に応じて、マスター及びスレーブプロジェクタをともに該設定操作に対応した状態に移行させることができる。したがって、簡単なシステム構成により、マスター及びスレーブプロジェクタからなる複数の画像投射装置の各種設定を、あたかも１つの画像投射装置の設定操作を行うような感覚で行うことができる。
【００７３】
以上、本発明の好ましい実施例について説明したが、本発明はこれらの実施例に限定されず、種々の変形や変更が可能である。
【図面の簡単な説明】
【００７４】
【図１】本発明の実施例１である画像投射システムの構成を示す概略図。
【図２】実施例１のシステムを構成するマスタープロジェクタの構成を示すブロック図。
【図３】実施例１のシステムを構成するスレーブプロジェクタの構成を示すブロック図。
【図４】実施例１のシステムを構成する操作パネルの概略図。
【図５】実施例１のシステムにより、設定メニュー画像を表示した状態を示す概略図。
【図６】実施例１のマスタープロジェクタの動作を示すフローチャート。
【図７】実施例１のスレーブプロジェクタの動作を示すフローチャート。
【図８】本発明の実施例２である画像投射システムを構成するマスタープロジェクタの構成を示すブロック図。
【図９】実施例２のシステムを構成するスレーブプロジェクタの構成を示すブロック図。
【図１０】実施例２のマスタープロジェクタの動作を示すフローチャート。
【符号の説明】
【００７５】
Ｐ１  マスタープロジェクタ
Ｐ２〜Ｐ４  スレーブプロジェクタ
１７，２７  液晶パネル
１８，２８  ＣＰＵ
１９，２９  操作パネル
３２  メニュースイッチ
３３  シフト方向スイッチ
２０３  ＥＥＰＲＯＭ
【図４】
2008216805.tif 000003
【図５】
2008216805.tif 000004
【図１】
2008216805.tif 000005
【図２】
2008216805.tif 000006
【図３】
2008216805.tif 000007
【図６】
2008216805.tif 000008
【図７】
2008216805.tif 000009
【図８】
2008216805.tif 000010
【図９】
2008216805.tif 000011
【図１０】
2008216805.tif 000012